【手続補正書】
【提出日】令和1年8月29日(2019.8.29)
【手続補正１】
【補正対象書類名】特許請求の範囲
【補正対象項目名】全文
【補正方法】変更
【補正の内容】
【特許請求の範囲】
【請求項１】
少なくとも１つの供給ラインを介して、被検者の測定部位を加圧する装着可能なカフを供給する加圧ユニットと、
直接的な又は間接的な仕方でカフ圧力（ｐ２）を検出する圧力検出ユニットと、
制御部とを備え、
前記制御部は、
規定された加圧方式に従い前記加圧ユニットによって前記カフ圧力（ｐ２）が上昇させられるとき、膨張の間に前記圧力検出ユニットによって検出された前記カフ圧力（ｐ２）に基づいて、血圧の値を計算する血圧決定ユニットと、
所望の膨張率と所望の圧力とで構成されるグループから選択された所望の値と、前記加圧方式のモデルとに基づいて、ターゲット膨張フロー信号を出力するフィードフォワードコントローラと、
前記所望の値と前記所望の値に対する実際の測定された信号との間の誤差を最小化するフィードバックコントローラと、を備えており、
前記フィードフォワードコントローラの出力と前記フィードバックコントローラの出力とは、前記加圧ユニットを駆動するために結合される、
血圧測定デバイス。
【請求項２】
前記フィードフォワードコントローラは、所望のカフ圧力（ｐ２）又は所望の膨張率（ｄｐ２／ｄｔ）に基づいて、設定された膨張フロー（Ｉｃｕｆｆ）を連続的な又は擬似連続的な仕方で出力する連続的な又は擬似連続的なフィードフォワードコントローラであり、前記フィードバックコントローラは、前記フィードフォワードコントローラを補完するように、前記所望のカフ圧力（ｐ２）又は前記所望の膨張率（ｄｐ２／ｄｔ）の残りのずれを制御し、前記フィードフォワードコントローラと前記フィードバックコントローラとの結合された出力は、前記加圧ユニットに送られる膨張フロー設定信号に変換される、請求項１に記載の血圧測定デバイス。
【請求項３】
前記フィードフォワードコントローラ及び前記フィードバックコントローラの更新速度は、少なくとも１０Ｈｚであり、前記フィードバックコントローラは、低速な前記フィードバックコントローラであり、前記フィードバックコントローラの利得は、血圧を示す振動性の圧力信号が通過することを可能にする範囲で選択される、請求項２に記載の血圧測定デバイス。
【請求項４】
前記加圧方式の基礎にあるモデルは、前記測定部位に取り付けられると前記加圧ユニットと前記カフとに関係する基準空気圧回路に基づいてモデル化された空気圧フロー回路と、前記加圧ユニットと前記カフとの間にありモデル化された基準ライン抵抗（Ｒｔｕｂｅ）に対応する供給ラインとを備える、請求項１に記載の血圧測定デバイス。
【請求項５】
前記加圧ユニットはポンプであり、フィードフォワードフローは、以下の方程式のフローモデルに従って、前記測定部位に取り付けられた前記カフのコンプライアンスに基づき、
【数３】
2018529417.tif 000001
ｐ１はデバイス圧力を表し、ｐ２はカフ圧力を表し、Ｉｃｕｆｆは前記加圧ユニットによって生成される膨張フローを表し、ｄｐ２／ｄｔは膨張率を表し、Ｖｐｕｍｐは前記ポンプに対する入力制御信号を表し、Ｒｔｕｂｅはライン抵抗を表し、Ｃｃｕｆｆはカフコンプライアンスを表す、
請求項１に記載の血圧測定デバイス。
【請求項６】
前記制御部が、前記膨張フロー（Ｉｃｕｆｆ）を前記カフに適応させることによって、前記膨張率（ｄｐ２／ｄｔ）又は前記カフ圧力（ｐ２）の少なくとも一方を、間接的な仕方で制御し、前記デバイス圧力（ｐ１）が膨張の間に測定され、カフコンプライアンス（Ｃｃｕｆｆ）とラインコンプライアンス（Ｒｔｕｂｅ）とは、前記方程式に従って、前記測定の開始時に少なくとも１回、決定される、請求項５に記載の血圧測定デバイス。
【請求項７】
前記測定部位における前記カフコンプライアンス（Ｃｃｕｆｆ）は圧力に依存し、前記カフコンプライアンス（Ｃｃｕｆｆ）は、前記カフ圧力（ｐ２）に応じて、線形又は非線形の少なくとも一方としてモデル化される、請求項６に記載の血圧測定デバイス。
【請求項８】
初期圧力における当初のカフコンプライアンス（Ｃｃｕｆｆ）は、当初の膨張フローの値と当初の圧力レートの値とに基づいて決定され、前記測定の残りの間の前記カフコンプライアンス（Ｃｃｕｆｆ）は、前記当初のカフコンプライアンスと、前記デバイス圧力（ｐ１）の連続的又は擬似連続的検出と、コンプライアンスモデルとに基づいて決定される、請求項７に記載の血圧測定デバイス。
【請求項９】
前記コンプライアンスを測定するのに用いられる前記膨張フローの値は、ポンプフローモデルに基づくフローの値である、請求項８に記載の血圧測定デバイス。
【請求項１０】
前記ライン抵抗（Ｒｔｕｂｅ）は、規定されたフローステップを適用することによって、そして、結果的に得られるデバイス圧力ステップを決定することによって、決定される、請求項７に記載の血圧測定デバイス。
【請求項１１】
前記フィードフォワードコントローラと前記フィードバックコントローラとからの結合されたフローの値が、ポンプ電圧に変換され、前記カフへの実際のフローが測定され、フローフィードバックコントローラは、結果的に得られるポンプ電圧（Ｖｐｕｍｐ）が、リクエストされたフローを結果的に生じさせることを保証する、請求項７に記載の血圧測定デバイス。
【請求項１２】
前記フィードフォワードコントローラと前記フィードバックコントローラとからの結合されたフローの値が、前記膨張フロー（Ｉｃｕｆｆ）と前記カフ圧力（ｐ２）とをポンプ電圧に関係付けるポンプフローモデルによって、前記フィードフォワードコントローラと前記フィードバックコントローラとの出力が実際に出力されるポンプフローと線形関係になるように、ポンプ電圧（Ｖｐｕｍｐ）に変換される、請求項７に記載の血圧測定デバイス。
【請求項１３】
被検者の測定部位を加圧する装着可能なカフを取り付けるステップと、
少なくとも１つの供給ラインを介して前記カフに加圧された流体を供給する加圧ユニットを動作させるステップと、
直接的な又は間接的な仕方でカフ圧力（ｐ２）を検出及びモニタするステップと、
前記カフ圧力（ｐ２）が、規定された加圧方式に従い、前記加圧ユニットにより上昇させられるとき、膨張の間に、検出されたカフ圧力（ｐ２）に基づいて、血圧の値を決定するステップと、
前記カフの膨張を制御するステップと、
を有し、前記カフの膨張を制御する前記ステップは、
所望の膨張率と所望の圧力とで構成されるグループから選択された所望の値と、前記加圧方式のモデルとに基づいてターゲット膨張フロー信号を出力することを有する、要求された膨張フロー（Ｉｃｕｆｆ）をフィードフォワードコントローラによって、設定するサブステップと、
前記所望の値と前記所望の値に対する実際の測定された信号との間の誤差を最小化することを有する、実際の膨張フローをフィードバックコントローラによって制御するサブステップと、
を有し、
前記フィードフォワードコントローラの出力と前記フィードバックコントローラの出力とは、前記加圧ユニットを駆動するために結合される、
血圧測定方法。
【請求項１４】
規定されたフローのステップによって、ターゲット膨張フローの値を設定することを含む、前記加圧ユニットをイネーブルするステップと、
適用されたフローステップに応答して、前記加圧ユニット又は前記カフにおいて圧力ステップを検出するステップと、
前記圧力ステップと前記ターゲット膨張フローの値とに基づいて、ライン抵抗（Ｒｔｕｂｅ）を計算するステップと、
規定されたフローの値と圧力レートの値とに基づいて、当初のカフコンプライアンス（Ｃｃｕｆｆ）の値を決定するステップと、
検出されたカフコンプライアンス（Ｃｃｕｆｆ）の値に基づいて、実際のカフタイプを識別するステップと、
前記実際のカフタイプに割り当てられているコンプライアンス推定モデルと現在進行中のカフ圧力検出とに基づいて、カフコンプライアンス（Ｃｃｕｆｆ）をトラッキングするステップと、
所望の膨張率（ｄｐ２／ｄｔ）が前記フィードフォワードコントローラによって設定されている前記フィードフォワードコントローラの制御の下で、前記カフを膨張させるステップと、
前記所望の膨張率（ｄｐ２／ｄｔ）と実際の膨張率との間の検出されたずれに基づいて前記膨張フロー（Ｉｃｕｆｆ）を適応させるために、前記フィードバックコントローラによるフィードバック制御を適用するステップと、
膨張の段階で観測されたカフ圧力（ｐ２）に基づいて、血圧を計算するステップと、
を含む、請求項１３に記載の血圧測定方法。
【請求項１５】
請求項１乃至１２のいずれか一項に記載の血圧測定デバイスに含まれるコンピュータ又はプロセッサで実行されると、前記コンピュータ又は前記プロセッサに、請求項１３又は１４に記載の血圧測定方法のステップを実行させるためのプログラムコード手段を含む、コンピュータプログラム。